(57)【要約】      （修正有）【課題】人工芝などのシート状部材の敷設部位の温度上昇の抑制を安価で容易に達成でき、加えて、水の供給時の美観向上も図ることが可能な噴水ユニットの提供。【解決手段】設置面１の上に敷設される人工芝マット１０と、人工芝マット１０に噴水可能に設けられた複数のノズル２０（１）〜（９）と、ノズル２０に水道の蛇口Ｄから噴水用の水を供給する給水管（メイン給水管４０、サブ給水管５０）と、給水管（メイン給水管４０、サブ給水管５０）とノズル２０（１）〜（９）との間に設けられ、蛇口Ｄとノズル２０（１）〜（９）とを連通状態と遮断状態とに切り替えるバルブユニット３０と、バルブユニット３０の連通状態と遮断状態との切り替えである開閉を制御する制御ユニット６０と、を備える噴水ユニット。ノズル２０が弾性材であることが好ましい噴水ユニット。【選択図】図１
2018108565.tif 000002
【特許請求の範囲】
【請求項１】
下地の上に敷設されるシート状部材と、
前記シート状部材に噴水可能に設けられた複数のノズルと、
前記ノズルに給水源から噴水用の水を供給する給水管と、
前記給水管と前記ノズルとの間に設けられ、前記給水源と前記ノズルとを連通状態と遮断状態とに切り替えるバルブと、
前記バルブの前記連通状態と前記遮断状態との切り替えを制御する制御ユニットと、
を備えることを特徴とする噴水ユニット。
【請求項２】
請求項１に記載の噴水ユニットにおいて、
前記シート状部材は、人工芝であることを特徴とする噴水ユニット。
【請求項３】
請求項１または請求項２に記載の噴水ユニットにおいて、
前記給水源は、水道であることを特徴とする噴水ユニット。
【請求項４】
請求項１〜請求項３のいずれか１項に記載の噴水ユニットにおいて、
前記ノズルは、弾性材により形成されていることを特徴とする噴水ユニット。
【請求項５】
請求項１〜請求項４のいずれか１項に記載の噴水ユニットにおいて、
前記給水管は、前記給水源に接続されたメイン給水管と、前記メイン給水管から分岐されて各ノズルに独立して接続されたサブ給水管とを備え、
前記バルブとして、前記ノズルと同数の前記バルブが、各サブ給水管に設けられていることを特徴とする噴水ユニット。
【請求項６】
請求項５に記載の噴水ユニットにおいて、
前記バルブをケースに収容するバルブユニットを備え、
前記バルブユニットに、前記メイン給水管から前記サブ給水管に分岐する管路が設けられていることを特徴とする噴水ユニット。
【請求項７】
請求項５または請求項６に記載の噴水ユニットにおいて、
前記制御ユニットは、前記複数のバルブの連通状態と遮断状態とを切り替えて、前記複数のノズルのうちの噴水させるノズルの選択および噴水時間を制御することを特徴とする噴水ユニット。
【請求項８】
請求項７に記載の噴水ユニットにおいて、
前記制御ユニットは、噴水させる前記ノズルの選択および噴水時間が異なる複数種類の噴水パターンが設定されていることを特徴とする噴水ユニット。
【発明の詳細な説明】
【技術分野】
【０００１】
本開示は、噴水ユニットに関する。
【背景技術】
【０００２】
従来、人工芝などの樹脂製のシート状部材を敷設したサッカーグラウンド、陸上競技場、テニスコート、学校の校庭などの競技グラウンドでは、夏場の温度上昇が問題となっており、種々の対策が行われている。
【０００３】
この対策として、人工芝を敷設した下地の下に配水管を設け、この配水管に、グラウンド上に噴霧を放出するようにノズルを接続したものが知られている（例えば、特許文献１、特許文献２参照）。
【０００４】
あるいは、競技グラウンドの下地層上に、霧を噴出する噴霧ノズルと、この噴霧ノズルに給水する給水装置とを備えた冷却構造層を設け、噴霧ノズルから噴出された霧により冷却構造層が冷却されて、表層の温度上昇を抑制するものも知られている（特許文献３参照）。
【先行技術文献】
【特許文献】
【０００５】
【特許文献１】特開２０００−２４０００５号公報
【特許文献２】特開２００６−１７７１３０号公報
【特許文献３】特開２０１５−１５５６３８号公報
【発明の概要】
【発明が解決しようとする課題】
【０００６】
ところで、人工芝などのシート状部材を、上述した競技グラウンドに限られず、例えば、家庭の庭や集合住宅のベランダやテラスなどに敷設することもある。この場合も、夏場の温度上昇が問題になるが、上記のような従来技術を適用した場合、地下に配水管を敷設するなど装置が大掛かりであるため、設置費が高額となり設置が難しい。
【０００７】
加えて、集合住宅のベランダなどでは、シート状部材を敷設する下地がコンクリート製であるため、下地の下に配水管を設置することが困難である。したがって、集合住宅のベランダなどでは、ホースなどを用いてシート状部材の上方から散水して冷却するのが一般的であり、この場合、人の作業となり手間を要するとともに、それ自体で視覚効果を得るものではない。
【０００８】
本開示は、上記問題に着目してなされたもので、人工芝などのシート状部材の敷設部位の温度上昇の抑制を、安価、かつ、容易に達成でき、加えて、給水時の視覚効果も発揮可能な噴水ユニットを提供することを目的とする。
【課題を解決するための手段】
【０００９】
本開示の噴水ユニットは、
下地の上に敷設されるシート状部材と、
前記シート状部材に噴水可能に設けられた複数のノズルと、
前記ノズルに給水源から噴水用の水を供給する給水管と、
前記給水管と前記ノズルとの間に設けられ、前記給水源と前記ノズルとを連通状態と遮断状態とに切り替えるバルブと、
前記バルブの前記連通状態と前記遮断状態との切り替えを制御する制御ユニットと、
を備えることを特徴とする。
【発明の効果】
【００１０】
本開示の噴水ユニットでは、バルブを連通状態とすることにより、給水源の水をシート状部材に設けたノズルから噴水することができる。そして、この噴水によりシート状部材の敷設部位の温度上昇を抑制できる。
したがって、シート状部材の敷設部位の温度上昇抑制を、地下に配水管を設置するものよりも安価な手段で達成でき、かつ、人が散水作業を行うよりも容易に実行できるとともに、噴水による視覚効果を得ることができる。
【図面の簡単な説明】
【００１１】
【図１】実施の形態１の噴水ユニットを示す斜視図である。
【図２】実施の形態１の噴水ユニットにおけるノズルの設置状態を示す断面図である。
【図３】実施の形態１の噴水ユニットにおける噴水パターンの説明図であって、（ａ）は直線パターンの説明図、（ｂ）は渦巻きパターンの説明図である。
【図４】実施の形態１の噴水ユニットにおけるノズルを示す図であり、（ａ）はノズルの横断面図であって（ｂ）のＳ４ａ−Ｓ４ａ線の位置での断面を示し、（ｂ）はノズルの縦断面図であって（ａ）のＳ４ｂ−Ｓ４ｂ線の位置での断面を示す。
【図５】実施の形態１の噴水ユニットにおけるノズルのベース部材を示す図であって、（ａ）はベース部材の平面図、（ｂ）はベース部材の縦断面図であり（ａ）のＳ５ｂ−Ｓ５ｂ線の位置での断面を示す。
【図６】実施の形態１の噴水ユニットにおけるノズルのノズル部材を示す図であって、（ａ）はノズル部材の平面図、（ｂ）はノズル部材の縦断面図であり（ａ）のＳ６ｂ−Ｓ６ｂ線の位置での断面を示す。
【図７】実施の形態１の噴水ユニットにおけるバルブユニットの内部の構成を示す平面図である。
【発明を実施するための形態】
【００１２】
以下、本開示の噴水ユニットを実現する最良の形態を、図面に示す実施の形態に基づいて説明する。
（実施の形態１）
以下、実施の形態１の噴水ユニットＡについて説明する。
（噴水ユニットの概略）
まず、実施の形態１の噴水ユニットＡの概略について説明する。
図１は、実施の形態１の噴水ユニットＡを示す斜視図であり、この噴水ユニットＡは、人工芝マット１０と、ノズル２０と、バルブユニット３０と、メイン給水管４０と、サブ給水管５０と、制御ユニット６０と、を備える。
【００１３】
この噴水ユニットＡは、例えば、集合住宅のバルコニー床などのコンクリート製の設置面１の上に人工芝マットＢを敷設する際、その一部に人工芝マット１０を敷設したものである。なお、本実施の形態１では、人工芝マットＢと噴水ユニットＡの人工芝マット１０とは、同様の材質のものを用いている。また、全体の図示は省略するが、噴水ユニットＡの人工芝マット１０は、人工芝マットＢの中央部分に人工芝マットＢと一体となるように設置しているものとする。
【００１４】
人工芝マットＢの中央部分に人工芝マットＢと一体となるように人工芝マット１０を設置するのにあたっては、例えば、人工芝マットＢとして人工芝マット１０と平面視の縦横寸法が同一のものを用い、人工芝マット１０の縦横方向に人工芝マットＢを並設することができる。あるいは、人工芝マットＢの平面視の縦横寸法の一方を、人工芝マット１０と共通化した長尺のものを、人工芝マット１０を跨いで連続的に敷設するようにしてもよい。さらに、人工芝マット１０よりも平面視の縦横寸法が大きな人工芝マットＢに、人工芝マット１０と同寸法の穴を形成し、この穴に人工芝マット１０を敷設してもよい。
【００１５】
また、噴水ユニットＡに用いた人工芝マット１０および人工芝マットＢの構造は、周知のものであり、図２に示すように、シート状に形成された人工芝基盤１０１に、所定の間隔を有してパイル１０２が植設され、人工芝基盤１０１の裏面側にはパイル１０２の抜け止め用のバッキング層（図示省略）を備える。また、人工芝基盤１０１は、例えば、ポリプロピレン，ポリエチレンなどの熱可塑性樹脂などから形成されたものを用いることができる。また、パイル１０２は、例えば、結晶性プラスチックを一軸延伸加工した扁平なフィラメント糸などを用いることができる。
【００１６】
なお、本実施の形態１では、人工芝マット１０および人工芝マットＢを敷設するにあたり、設置面１の上に除水シートＣを敷いて、その上に両人工芝マット１０，Ｂを敷設している。この除水シートＣは、網目状の繊維により形成され、人工芝マットＢを透過した水を、設置面１の水勾配に沿って移動させるもので、両人工芝マット１０，Ｂにおける水はけを促進させる。
【００１７】
（噴水ユニットの構成の詳細）
以下に、噴水ユニットＡの構成の詳細について説明する。
ノズル２０は、人工芝マット１０に複数設置されており、本実施の形態１では、図１および図３に示すように、９個のノズル２０が、縦横略等間隔にそれぞれ３個ずつ３列、３行を形成して配置されている。なお、以下の説明において、９個のノズル２０のうちで特定のものを指す場合には、符号２０の後に（１）〜（９）を表記するが、特定のものを指さない場合には、単に符号２０のみ表記する。
【００１８】
そして、各ノズル２０には、サブ給水管５０が接続され、各サブ給水管５０にはバルブユニット３０が接続されている。さらに、バルブユニット３０には、メイン給水管４０を介して水道の蛇口Ｄが接続されている。すなわち、噴水ユニットＡは、水道の蛇口Ｄから供給される水を、バルブユニット３０から任意のサブ給水管５０を介して任意のノズル２０から噴水させることができる。なお、各給水管４０，５０としては、例えば、軟質の樹脂、ゴムなどにより形成された管を用いることができる。
以下に、各構成について詳細に説明する。
【００１９】
（ノズルの構成）
ノズル２０は、図２に示すように、ベース部材２１とノズル部材２２とを上下に嵌め合わせて形成されている。
【００２０】
図５はベース部材２１を示す図であり、（ａ）はベース部材２１の平面図、（ｂ）は軸心位置での縦断面である。このベース部材２１は、硬質樹脂により形成され、図５（ａ）（ｂ）に示すように、ベース部材本体２１ａと水路壁２１ｂを備える。ベース部材本体２１ａは、円盤状の底板２１ｃの外周に円筒状の内筒部２１ｄを起立させた有底円筒状に形成されている。さらに、内筒部２１ｄには、内筒部２１ｄの内外を連通する連通穴２１ｅが形成され、この連通穴２１ｅに前述したサブ給水管５０に接続される接続管部２１ｆが一体に形成されて外径方向に突出して設けられている。
【００２１】
水路壁２１ｂは、連通穴２１ｅからベース部材２１の軸中心に至る噴水路２１ｇを形成する壁であり、連通穴２１ｅを中央に挟んで内筒部２１ｄからベース部材２１の軸中心部まで延在された一対の立壁部２１ｈ，２１ｈと、ベース部材２１の軸中心部を囲んで設けられた円筒状の環状壁２１ｊとを備える。
【００２２】
次に、ノズル部材２２について説明する。
図６はノズル部材２２を示す図であり、（ａ）はノズル部材２２の平面図、（ｂ）はノズル部材２２の断面図である。このノズル部材２２は、シリコン樹脂などの軟質の樹脂、ゴムなどの弾性材により形成され、図６（ａ）（ｂ）に示すように、ノズル部材本体２２ａとノズル部２２ｂとを備える。
【００２３】
ノズル部材本体２２ａは、円盤状の天板２２ｃと、この天板２２ｃの外周から円筒状に垂下されるとともに、ベース部材２１の内筒部２１ｄの外周を囲む内径に形成された外筒部２２ｄを備える。なお、外筒部２２ｄには、内筒部２１ｄの連通穴２１ｅと同軸に配置可能に丸あるいはＵ字の状の連通穴２２ｅが径方向に貫通して形成され、この連通穴２２ｅに接続管部２１ｆが貫通して設けられている（図４参照）。また、天板２２ｃの軸心部からノズル部２２ｂが立ち上げられている。このノズル部２２ｂは、略円錐筒状に形成され、上端部に噴水穴２２ｆが開口されている。
【００２４】
そして、ノズル２０は、図４に示すように、ベース部材２１の上からノズル部材２２を被せ、両者の当接部分を接着あるいは溶着させて一体に形成する。すなわち、ベース部材２１の立壁部２１ｈおよび環状壁２１ｊの上端に、ノズル部材２２の天板２２ｃの裏面を当接させるとともに、ベース部材２１の内筒部２１ｄの外周にノズル部材２２の外筒部２２ｄに当接させて、一体に形成する。そして、このベース部材２１とノズル部材２２とを一体とした状態では、ノズル２０に、連通穴２１ｅ，２２ｅからノズル部２２ｂの噴水穴２２ｆに至るとともに、外部と遮断された噴水路２１ｇが形成される。これにより、接続管部２１ｆに供給した水を噴水穴２２ｆから上方に向けて噴水することができる。
【００２５】
（バルブユニットの構成）
次に、バルブユニット３０について説明する。
バルブユニット３０は、前述のように、メイン給水管４０を介して供給される蛇口Ｄからの水道水を、各サブ給水管５０を介して各ノズル２０に選択的に供給するもので、ケース３０ｃの内部に、図７に示すように各サブ給水管５０に接続された９個のバルブ３１を収容している。なお、９個のバルブ３１の符号の表記についても、ノズル２０およびサブ給水管５０と同様に、特定のものを指す場合には、符号３１の後ろに（１）〜（９）を表記するが、特定のものを指さない場合には、単に３１と表記する。
【００２６】
バルブユニット３０は、メイン給水管４０に接続されたメイン管３２と、このメイン管３２から分岐されて各サブ給水管５０（１）〜（９）に接続される分岐管３３（１）〜（９）を備える。そして、分岐管３３（１）〜（９）のそれぞれに、分岐管３３（１）〜（９）を開閉するバルブ３１（１）〜（９）が設けられている。
【００２７】
各バルブ３１は、非通電時に閉じ、通電時に開く常閉の電磁バルブである。したがって、各バルブ３１は、開弁時に、メイン管３２（メイン給水管４０）とサブ給水管５０およびノズル２０とを連通させる。そして、この連通状態では、蛇口Ｄからの水道の水圧により、ノズル２０から上方に噴水される。
【００２８】
（制御ユニットの構成）
上述したバルブユニット３０の各バルブ３１の開閉は、制御ユニット６０により制御されるもので、この制御ユニット６０は、バルブユニット３０に内蔵されている。
【００２９】
この制御ユニット６０は、自動噴水制御を実行し、９個のバルブ３１のうちの１つを順次選択的に開弁させることにより、人工芝マット１０の各ノズル２０から、所定の形態で噴水するもので、以下に、その制御について説明する。
【００３０】
すなわち、本実施の形態１では、制御ユニット６０は、噴水開始スイッチ（図示省略）が投入された際には、自動噴水制御を実行して、各ノズル２０から噴水させる。なお、噴水開始スイッチの投入は、手動により行うようにしてもよいし、あるいは、所定の時刻あるいは所定の温度を越えた際に、自動的に行うようにしてもよい。
【００３１】
制御ユニット６０は、本実施の形態１では、自動噴水制御の実行時には、直線噴水パターン、渦巻き噴水パターン、ランダム噴水パターンの３種類の噴水パターンの３つの噴水パターンを順に２回繰り返す。さらに、本実施の形態１では、１回目の３つの噴水パターンにおける噴水時間（バルブ開弁時間）に対し、２回目の３つの噴水パターンにおける噴水時間（バルブ開弁時間）を長く設定している。
【００３２】
次に、各噴水パターンについて説明する。
直線噴水パターンでは、図３（ａ）に示すように、第１列のノズル２０（１），２０（２），２０（３）を矢印Ｐ１１の順に一定時間（ｔ）だけ噴水させる第１直線噴水パターン、第２列のノズル２０（４），２０（５），２０（６）を矢印Ｐ１２の順に一定時間（ｔ）だけ噴水させる第２直線噴水パターン、第３列のノズル２０（７），２０（８），２０（９）を矢印Ｐ１３の順に一定時間（ｔ）だけ噴水させる第３直線噴水パターンを順に実行する。
【００３３】
すなわち、第１直線噴水パターンでは、第１列のノズル２０（１），２０（２），２０（３）に接続されたバルブ３１（１），３１（２），３１（３）を、順に一定時間（例えば、ｔ＝０．５秒）ずつ開弁させる制御を実行し、各ノズル２０（１），２０（２），２０（３）から順に噴水させる。
第２直線噴水パターンでは、第２列のノズル２０（４），２０（５），２０（６）に接続されたバルブ３１（４），３１（５），３１（６）を、順に一定時間（例えば、ｔ＝０．５秒）ずつ開弁させる制御を実行し、各ノズル２０（４），２０（５），２０（６）から順に噴水させる。
【００３４】
第３直線噴水パターンでは、第３列のノズル２０（７），２０（８），２０（９）に接続されたバルブ３１（７），３１（８），３１（９）を、順に一定時間（例えば、ｔ＝０．５秒）ずつ開弁させる制御を実行し、各ノズル２０（７），２０（８），２０（９）から順に噴水させる。
以上のように、直線噴水パターンでは、第１直線噴水パターン、第２直線噴水パターン、第３直線噴水パターンによる噴水を順に実行する。
【００３５】
次の、渦巻き噴水パターンでは、図３（ｂ）の矢印Ｐ２０に示す順に外側に配置されたノズル２０（１）、２０（２）、２０（３）、２０（６）、２０（９）、２０（８）、２０（７）、２０（４）の順で一定時間（ｔ）ずつ噴水させた後、最後に、中央のノズル２０（５）から一定時間（ｔ）だけ噴水させる。したがって、この場合、バルブ３１（１）、３１（２）、３１（３）、３１（６）、３１（９）、３１（８）、３１（７）、３１（４）、３１（５）を、順に一定時間（例えば、ｔ＝０．５秒）ずつ開弁させる制御を実行する。
【００３６】
ランダム噴水パターンは、９個のノズル２０（１）〜（９）を、ランダムに１つずつ選択し一定時間（ｔ）だけ噴水させる。すなわち、９個のバルブ（１）〜（９）を、ランダムに１つずつ選択し一定時間（例えば、ｔ＝０．５秒）だけ開弁させる制御を実行する。
【００３７】
そして、以上の１回目の直線噴水パターン、渦巻き噴水パターン、ランダム噴水パターンの噴水制御を実行した後、再度、直線噴水パターン、渦巻き噴水パターン、ランダム噴水パターンで噴水させる際には、各噴水の実行時間を１回目より長くするもので、例えば、１回目の噴水時間の３〜５倍程度（例えば、ｔ＝２秒程度）で噴水させる。そして、２回目の各パターンの噴水を終えると、全てのバルブ３１を閉弁させ、自動噴水制御を終了する。
【００３８】
（実施の形態１の作用）
次に、実施の形態１の噴水ユニットの作用を説明する。
夏場など、人工芝マットＢが日射を受けると、人工芝マットＢの温度が上昇する。そこで、このような場合には、制御ユニット６０に自動噴水制御を実行させる。なお、この自動噴水制御の実行は、前述のように、人工芝マットＢの温度が上昇した際、あるいは、温度が上昇する時間になった際に自動的に行うようにしてもよいし、あるいは、この人工芝マットＢの上で、ペットを遊ばせたり、人がくつろいだり、遊んだりする際に、手動により実行させるようにしてもよい。
【００３９】
そして、制御ユニット６０の自動噴水制御の実行時には、噴水ユニットＡの人工芝マット１０から、直線噴水パターン、渦巻き噴水パターン、ランダム噴水パターンでの噴水が順に行われ、さらに、この噴水パターンが２回繰り返されるとともに、２回目は、１回目よりも長時間噴水される。
【００４０】
したがって、人工芝マット１０のみならず、その周囲の人工芝マットＢに散水され、その表面温度を低下させることができるとともに、その散水の気化熱による温度低下を図ることができる。
【００４１】
さらに、その人工芝マットＢへの散水は、人工芝マット１０からの自動的な噴水により行うため、人がホースなどで散水する場合と比較して、高い視覚効果を得ることができるとともに、手間がかからない。
加えて、人工芝マット１０からの噴水は、単に一定形状の噴水を行うのではなく、直線噴水パターン、渦巻き噴水パターン、ランダム噴水パターンとの複数種類の噴水パターンにより行うため、単に、一定の形状で噴水するものと比較して、高い視覚効果を得ることができる。
【００４２】
しかも、各噴水パターンは、各バルブ３１を、１つずつ開弁するようにしたため、水道の水圧でも、ノズル２０から十分な高さで噴水させることができる。すなわち、例えば、全てのノズル２０から同時に噴水する場合には、十分な高さに噴水させるには高い水圧が必要であり給水源にポンプなどの昇圧のための構成を要し、コストアップを招くとともに、これらの機器の設置場所も必要となる。それに対して、本実施の形態１では、９個のノズル２０を１つずつ噴水させるため、ポンプが不要であり、コストダウンを図ることができるとともに、設置に必要な機器はバルブユニット３０のみであり、設置が容易となる。
【００４３】
（実施の形態１の効果）
以下に、実施の形態１の効果を列挙する。
１）実施の形態１の噴水ユニットＡは、
下地としての設置面１の上に敷設されるシート状部材としての人工芝マット１０と、
人工芝マット１０に噴水可能に設けられた複数のノズル２０（１）〜（９）と、
ノズル２０に給水源としての水道の蛇口Ｄから噴水用の水を供給する給水管（メイン給水管４０、サブ給水管５０）と、
給水管（メイン給水管４０、サブ給水管５０）とノズル２０（１）〜（９）との間に設けられ、蛇口Ｄとノズル２０（１）〜（９）とを連通状態と遮断状態とに切り替えるバルブ３１（１）〜（９）と、
バルブ３１（１）〜（９）の連通状態と遮断状態との切り替えである開閉を制御する制御ユニット６０と、
を備えることを特徴とする。
したがって、人工芝マット１０に設けたノズル２０から噴水させて人工芝マット１０およびその周囲に敷設した人工芝マットＢの温度上昇を抑制できる。
よって、人工芝マット１０，Ｂの温度上昇抑制を、地下に配水管を設置するものよりも安価に達成でき、かつ、人が散水作業を行うのと比較して、作業が容易であるとともに高い視覚効果を得ることができる。
なお、人工芝マット１０以外の樹脂製のシート状部材を敷設した部位であっても、ノズル２０を同様のシート状部材に設けることにより、上記の効果を達成できる。
【００４４】
２）実施の形態１の噴水ユニットＡは、
給水源として水道（蛇口Ｄ）を用いたことを特徴とする。
したがって、ポンプを用いることなく水道の水圧によりノズル２０から噴水させるため、給水源としてポンプを用いるものと比較して、より安価に上記１）に記載の効果を得ることができる。
【００４５】
３）実施の形態１の噴水ユニットＡは、
ノズル２０のノズル部材２２が弾性材により形成されていることを特徴とする。
したがって、ノズル２０を人や動物などが踏んだ場合に、弾性変形および復元を可能として破損を抑制できる。よって、人工芝マット１０のように人や動物などが踏むおそれがあるシート状部材に設置する場合に、別体の保護用の構成を付加するものと比較して、安価にノズル２０の設置が可能である。また、逆に、ノズル２０を硬質の部材により形成した場合、人がノズル２０を踏んだ際に、違和感を与えたり、つまづいたりするおそれがあるが、弾性材により形成することにより、そのような不具合も生じない。
【００４６】
加えて、本実施の形態１では、ノズル２０をベース部材２１とノズル部材２２との２部材により形成したため、１部材により形成するものと比較して、製造が容易である。
しかも、ノズル２０を弾性材により形成するのにあたり、ノズル部２２ｂを有するノズル部材２２を弾性材（シリコン樹脂など）により形成し、下側のベース部材２１を硬質の樹脂により形成した。
したがって、ノズル２０の全体を弾性材により形成したものと比較して、噴水路２１ｇの形状を確実に保持してノズル２０の変形により噴水に不具合が生じるのを抑制できる。
【００４７】
４）実施の形態１の噴水ユニットＡは、
給水管は、給水源としての蛇口Ｄに接続されたメイン給水管４０と、メイン給水管４０から分岐されて各ノズル２０（１）〜（９）に独立して接続されたサブ給水管５０（１）〜（９）とを備え、
バルブ３１として、ノズル２０と同数のバルブ３１（１）〜（９）が、各サブ給水管５０に設けられていることを特徴とする。
したがって、複数のノズル２０（１）〜（９）のうちの１個のノズル２０のみから選択的に噴水させることができ、噴水パターンの設定自由度が高い。加えて、上記のように１個のノズル２０のみからの噴水が可能であるため、複数のノズル２０から同時に噴水させるのと比較して、低水圧での噴水が可能であり、複数のノズル２０（１）〜（９）を有しながらも、上記２）のような水道を給水源とする噴水を可能とすることができる。
【００４８】
５）実施の形態１の噴水ユニットＡは、
バルブ３１をケース３０ｃに収容するバルブユニット３０を備え、
バルブユニット３０に、メイン給水管４０からサブ給水管５０に分岐する管路としてのメイン管３２、分岐管３３が設けられていることを特徴とする。
したがって、複数のバルブ３１の設置をコンパクトに行うことができる。加えて、バルブ３１を各ノズル２０の近傍に配置したものと比較して、バルブ３１へ通電するラインの長さを短縮でき、その分、設置コストを抑えることが可能である。
【００４９】
６）実施の形態１の噴水ユニットＡは、
制御ユニット６０は、複数のバルブ３１（１）〜（９）の連通状態と遮断状態とを切り替えて、複数のノズル２０（１）〜（９）のうちの噴水させるノズルの選択および噴水時間を制御することを特徴とする。
したがって、複数のノズル２０（１）〜（９）のうちの噴水させるノズルの選択および噴水時間を制御することにより、多様な噴水パターンによる噴水が可能となる。
【００５０】
７）実施の形態１の噴水ユニットＡは、
制御ユニット６０は、噴水させるノズル２０（１）〜（９）の選択および噴水時間が異なる複数種類の噴水パターン（直線噴水パターン、渦巻き噴水パターン、ランダム噴水パターン）が設定されていることを特徴とする。
したがって、複数種類の噴水パターンによる噴水を可能とすることにより、人工芝マット１０、Ｂに噴水して温度上昇を抑制する際の視覚効果をさらに向上できる。
【００５１】
特に、本実施の形態１では、９個のノズル２０（１）〜（９）を、３個ずつ３例、３行に配置したことにより、比較的少ないノズル２０の個数で、列方向、行方向、対角方向などの多様な噴水パターンを形成できる。
【００５２】
８）実施の形態１の噴水ユニットＡは、
人工芝マット１０、Ｂと設置面１との間に、編み目状の除水シートＣを設置したため、人工芝マット１０、Ｂの水はけに優れる。
【００５３】
以上、本開示の実施の形態を図面に基づき説明してきたが、具体的な構成については、この実施の形態に限られるものではなく、特許請求の範囲の各請求項に係る発明の要旨を逸脱しない限り、設計の変更や追加等は許容される。
【００５４】
例えば、実施の形態では、ノズルを設けるシート状部材として人工芝マットを例示したが、人工芝マット以外にも、ハニカム状、編み目状などの樹脂マットなど、他のマットを用いることができる。
また、人工芝マットを敷設する下地として、バルコニーの床である設置面を示したが、下地としてはこれに限定されるものではなく、例えば、住宅の庭の地面などを下地面としてもよい。
【００５５】
また、実施の形態では、ノズルを１枚の人工芝マットに９個配置した例を示したが、人工芝マットの枚数およびノズルの数は、これに限定されるものではなく、少なくとも１枚のシート状マットに、２以上の複数のノズルが設けられたものであればよい。また、人工芝マットとしても、縦横で寸法が異なるものや、複数のマットを並設したものを用いることができる。
さらに、実施の形態では、ノズルは、ノズル部材を略直立させたものを示したが、これに限定されず、斜めに起立させたものを用いてもよい。この場合、噴水を横方向に飛ばして、広い範囲に噴水を飛ばすことが可能となり、人工芝などのシート状部材の温度上昇抑制を、より広い範囲まで行うことができる。
加えて、実施の形態では、１つのノズルに対し、１本のサブ給水管およびバルブを設けたものを示したが、ノズルに対するサブ給水管およびバルブの数は、これに限定されない。例えば、１本のサブ給水管に２以上のノズルを接続してもよい。また、１つのバルブから複数のサブ給水管に水を供給するようにしてもよい。これらの場合、複数のノズルから同時に噴水させることができる。
【００５６】
また、実施の形態では、給水源として、水道（蛇口）を示したが、給水源はこれに限定されるものではなく、ポンプを用いて給水圧力を水道よりも高くしたものを用いてもよい。これにより、より高く噴水させることができ、美観が向上する。特に、１つのバルブから複数のノズルに給水を行う場合などには、このように給水圧力を高くすることが好ましい。
【００５７】
また、実施の形態では、複数のバルブを、１つのバルブユニット内に設置したものを示したが、バルブの設置は、これに限定されない。例えば、バルブを各ノズルの近傍などに配置してもよい。
さらに、実施の形態では、噴水パターンとして、直線噴水パターン、渦巻き噴水パターン、ランダム噴水パターンの３種類のパターンを示したが、これに限定されるものではない。例えば、十分な水圧が得られるものでは、複数のノズルから同時に噴水させるパターンの設定も可能である。また、設置するノズルの数を増やせば、さらに多様な噴水パターンの設定も可能となる。
【符号の説明】
【００５８】
１     設置面（下地）
１０   人工芝マット（シート状部材）
２０   ノズル
３０   バルブユニット
３１   バルブ
４０   メイン給水管
５０   サブ給水管
６０   制御ユニット
Ａ     噴水ユニット
Ｂ     人工芝マット
Ｄ     蛇口（給水源）
【図１】
2018108565.tif 000003
【図２】
2018108565.tif 000004
【図３】
2018108565.tif 000005
【図４】
2018108565.tif 000006
【図５】
2018108565.tif 000007
【図６】
2018108565.tif 000008
【図７】
2018108565.tif 000009